(57)【要約】【課題】切断作業時に水平方向及び鉛直方向への位置ずれが防止されて、スムーズに且つ真っ直ぐに屋根材を所定幅分残して切断することができる屋根材切断装置を提供する。【解決手段】下刃４が設けられる下側本体部２に、切断作業時に下刃４よりも屋根下地20の端部側に位置し屋根下地20の側端面に当接させてこの下側本体部２の前記側端面に対する水平方向の位置を位置決めする水平方向位置決めガイド部５を設け、上刃３が設けられる上側本体部１に、この下側本体部２側の水平方向位置決めガイド部５が前記側端面に当接した状態では、屋根下地20で支持されている部分の屋根材21上に配設される鉛直方向位置決めガイド部６を設け、この水平方向位置決めガイド部５及び鉛直方向位置決めガイド部６で水平方向及び鉛直方向を位置決めする。【選択図】図１
2020082230.tif 000002
【特許請求の範囲】
【請求項１】
屋根下地上に屋根材を敷設する際に前記屋根下地の端部から突出する余剰屋根材を所定幅分残して切断する屋根材切断装置であって、上刃を備え前記余剰屋根材を所定幅分残して切断除去する切断作業時に屋根下地上に敷設された屋根材の表面側に位置し前記屋根材の表面に沿って移動する上側本体部と、下刃を備え前記上側本体部の下方に位置するようにして連結され前記切断作業時に前記屋根材の裏面側に位置し前記上側本体部と共に移動する下側本体部とを備え、前記下側本体部には、前記切断作業時に前記下刃よりも前記屋根下地の端部側に位置し前記屋根下地の側端面若しくは前記屋根下地の端部に設けられた唐草の鉛直面に当接させてこの下側本体部の前記側端面若しくは前記鉛直面に対する水平方向の位置を位置決めする水平方向位置決めガイド部が設けられていて、前記上側本体部には、前記切断作業時にこの上側本体部の鉛直方向を位置決めするための鉛直方向位置決めガイド部が設けられていて、この鉛直方向位置決めガイド部は、前記切断作業時に前記水平方向位置決めガイド部を前記側端面若しくは前記鉛直面に当接させた状態にすると、前記屋根下地若しくは前記屋根下地の端部に設けられた唐草で支持されている部分の屋根材上に配設されるように構成されていることを特徴とする屋根材切断装置。
【請求項２】
前記鉛直方向位置決めガイド部は、水平軸により回転する水平ローラに構成され、前記上側本体部の底面部に設けられていることを特徴とする請求項１記載の屋根材切断装置。
【請求項３】
前記水平方向位置決めガイド部は、鉛直軸により回転する鉛直ローラを備え、前記切断作業時にこの鉛直ローラが前記側端面若しくは前記鉛直面に当接する構成とされていることを特徴とする請求項１，２のいずれか１項に記載の屋根材切断装置。
【請求項４】
前記鉛直ローラは、前記下側本体部からの突出量が調整可能な構成とされていて、この鉛直ローラ突出量の調整により前記余剰屋根材の残し幅寸法を変更することができるように構成されていることを特徴とする請求項３記載の屋根材切断装置。
【請求項５】
径が異なる複数の前記鉛直ローラを備え、異なる径の鉛直ローラに付け替えることにより前記下側本体部からの前記鉛直ローラの突出量を変えて、前記余剰屋根材の残し幅寸法を変更するように構成されていることを特徴とする請求項４記載の屋根材切断装置。
【請求項６】
前記上刃と前記下刃との隙間間隔を調整する刃間隙間調整機構を備えることを特徴とする請求項１〜５のいずれか１項に記載の屋根材切断装置。
【請求項７】
前記刃間隙間調整機構は、前記上側本体部の前記上刃が設けられる上刃取付部に設けられた雌ネジ部とこの雌ネジ部に螺動自在に螺合された雄ネジ部材とからなり、この雄ネジ部材を前記雌ネジ部に対して螺入操作して前記上側本体部の前記上刃が取り付けられる側の側面に対する突出量を調整することにより前記上刃の位置を調整して、前記下刃に対する隙間間隔を調整するように構成されていることを特徴とする請求項６記載の屋根材切断装置。
【発明の詳細な説明】
【技術分野】
【０００１】
本発明は、野地板等の屋根下地上に屋根材を敷設する際に屋根下地の端部からはみ出した余剰屋根材を所定幅分残して切断する屋根材切断装置に関するものである。
【背景技術】
【０００２】
屋根下地上に金属製の屋根材を敷設する際、屋根下地上に敷設した屋根材の端部の浮き上がりを防止すると共に、屋根材と屋根下地との隙間からの雨水の浸入を防止するため、屋根材の端部を折り曲げて、この折り曲げ部で屋根下地の端部に設けた唐草を掴み込むようにして屋根材の端部を唐草に固定している。
【０００３】
したがって、屋根の端からはみ出した余剰屋根材を切断除去する際は、この唐草に掴み込み係止させる掴み込み代分を残して屋根材を真っ直ぐに切断する必要がある。
【０００４】
このような屋根材の端部を掴み込み代となる所定幅分残して真っ直ぐに切断する場合、鋏状の切断具では真っ直ぐに且つきれいに（滑らかに）切断することが難しいため、従来、屋根材の端部を所定幅分残して真っ直ぐに切断することができる切断装置として、例えば特許文献１，２に示すようなものが提案されている。
【０００５】
これら従来例について簡単に説明すると、特許文献１の切断装置は、切断作業時に切断位置を位置決めする際の基準点となる屋根の先端面に当接させる切断位置決めローラを備え、この切断位置決めローラを屋根の先端面に当接させながら移動させることで、切断装置が屋根の先端面に沿って（ガイドされて）直線的に移動し、所定幅分を残して屋根材を真っ直ぐに切断することができるように構成されている。
【０００６】
また、特許文献２の切断具は、カッターを取り付ける取付部の一側面をガイド用の平滑面に形成し、この平滑面に対してカッターを突出量調整自在に設けて、所定幅分が残るようにカッターの位置を調整し、切断する金属板の端部を取付部の平滑面に当接させながら移動させることで、切断具が切断する金属板材の端面に沿って（ガイドされて）直線的に移動し、所定幅分を残して金属板を真っ直ぐに切断することができるように構成されている。
【先行技術文献】
【特許文献】
【０００７】
【特許文献１】実公昭５５−１００１２号公報
【特許文献２】実開平７−２７７２１号公報
【発明の概要】
【発明が解決しようとする課題】
【０００８】
しかしながら、上記に示した従来の切断装置（具）は、水平方向（左右方向）に対する位置決め機能は備えられているものの、鉛直方向（上下方向）に対する位置決め機能は備えられておらず、その結果、切断作業時に装置本体が上下してしまうことがあり、これにより屋根材（金属板材）が撓んでしまい、スムーズに切断することができなかったり、切断位置がずれて真っ直ぐに切断できなかったりする等の不具合が生じることがあった。
【０００９】
本発明は、このような現状に鑑みなされたものであり、水平方向及び鉛直方向の双方の位置決め機能を備え、切断作業時に水平方向及び鉛直方向への位置ずれが防止されて、スムーズに且つ真っ直ぐに屋根材を所定幅分残して切断することができる屋根材切断装置を提供することを目的とする。
【課題を解決するための手段】
【００１０】
添付図面を参照して本発明の要旨を説明する。
【００１１】
屋根下地20上に屋根材21を敷設する際に前記屋根下地20の端部から突出する余剰屋根材21Ａを所定幅分残して切断する屋根材切断装置であって、上刃３を備え前記余剰屋根材21Ａを所定幅分残して切断除去する切断作業時に屋根下地20上に敷設された屋根材21の表面側に位置し前記屋根材21の表面に沿って移動する上側本体部１と、下刃４を備え前記上側本体部１の下方に位置するようにして連結され前記切断作業時に前記屋根材21の裏面側に位置し前記上側本体部１と共に移動する下側本体部２とを備え、前記下側本体部２には、前記切断作業時に前記下刃４よりも前記屋根下地20の端部側に位置し前記屋根下地20の側端面若しくは前記屋根下地20の端部に設けられた唐草22の鉛直面22Ａに当接させてこの下側本体部２の前記側端面若しくは前記鉛直面22Ａに対する水平方向の位置を位置決めする水平方向位置決めガイド部５が設けられていて、前記上側本体部１には、前記切断作業時にこの上側本体部１の鉛直方向を位置決めするための鉛直方向位置決めガイド部６が設けられていて、この鉛直方向位置決めガイド部６は、前記切断作業時に前記水平方向位置決めガイド部５を前記側端面若しくは前記鉛直面22Ａに当接させた状態にすると、前記屋根下地20若しくは前記屋根下地20の端部に設けられた唐草22で支持されている部分の屋根材21上に配設されるように構成されていることを特徴とする屋根材切断装置に係るものである。
【００１２】
また、前記鉛直方向位置決めガイド部６は、水平軸により回転する水平ローラ６に構成され、前記上側本体部１の底面部に設けられていることを特徴とする請求項１記載の屋根材切断装置に係るものである。
【００１３】
また、前記水平方向位置決めガイド部５は、鉛直軸５Ｂにより回転する鉛直ローラ５Ａを備え、前記切断作業時にこの鉛直ローラ５Ａが前記側端面若しくは前記鉛直面22Ａに当接する構成とされていることを特徴とする請求項１，２のいずれか１項に記載の屋根材切断装置に係るものである。
【００１４】
また、前記鉛直ローラ５Ａは、前記下側本体部２からの突出量が調整可能な構成とされていて、この鉛直ローラ５Ａの突出量の調整により前記余剰屋根材21Ａの残し幅寸法を変更することができるように構成されていることを特徴とする請求項３記載の屋根材切断装置に係るものである。
【００１５】
また、径が異なる複数の前記鉛直ローラ５Ａを備え、異なる径の鉛直ローラ５Ａに付け替えることにより前記下側本体部２からの前記鉛直ローラ５Ａの突出量を変えて、前記余剰屋根材21Ａの残し幅寸法を変更するように構成されていることを特徴とする請求項４記載の屋根材切断装置に係るものである。
【００１６】
また、前記上刃３と前記下刃４との隙間間隔を調整する刃間隙間調整機構を備えることを特徴とする請求項１〜５のいずれか１項に記載の屋根材切断装置に係るものである。
【００１７】
また、前記刃間隙間調整機構は、前記上側本体部１の前記上刃３が設けられる上刃取付部に設けられた雌ネジ部７とこの雌ネジ部７に螺動自在に螺合された雄ネジ部材８とからなり、この雄ネジ部材８を前記雌ネジ部７に対して螺入操作して前記上側本体部１の前記上刃３が取り付けられる側の側面に対する突出量を調整することにより前記上刃３の位置を調整して、前記下刃４に対する隙間間隔を調整するように構成されていることを特徴とする請求項６記載の屋根材切断装置に係るものである。
【発明の効果】
【００１８】
本発明は上述のように構成したから、例えば屋根下地上に屋根材を敷設する際の屋根下地の端部から突出する余剰屋根材を所定幅分残して切断する切断作業時に、装置本体の水平方向及び鉛直方向への位置ずれが防止されて、スムーズに且つ真っ直ぐに装置本体を移動させることができ、屋根材（余剰屋根材）を所定幅分残して簡易に且つきれいに切断することができる実用性に優れた画期的な屋根材切断装置となる。
【図面の簡単な説明】
【００１９】
【図１】本実施例を示す説明斜視図である。
【図２】本実施例を示す説明側面図である。
【図３】本実施例の使用状態説明図である。
【図４】（ａ）は、本実施例において径の小さい鉛直ローラが取り付けられた状態の使用状態説明図であり、（ｂ）は、本実施例において径の大きい鉛直ローラが取り付けられた状態の使用状態説明図である。
【図５】本実施例の使用状態説明図である。
【図６】本実施例の刃間隙間調整機構を示す説明図である。
【図７】（ａ）は、本実施例において隙間調整機構により上刃と下刃との間の隙間を小さくした状態を示す説明図であり、（ｂ）は、本実施例において隙間調整機構により上刃と下刃との間の隙間を大きくした状態を示す説明図である。
【発明を実施するための形態】
【００２０】
好適と考える本発明の実施形態を、図面に基づいて本発明の作用を示して簡単に説明する。
【００２１】
上側本体部１と下側本体部２との間に設けられた屋根材挿入用隙間部９に余剰屋根材21Ａを挿入しつつ、下側本体部２に設けられた水平方向位置決めガイド部５を屋根下地20の側端面（例えば野地板の端面や垂木の端面若しくはこの野地板や垂木を覆うように屋根下地20の端部に設けられた唐草22の鉛直面22Ａ）に当接させた状態にすると、上刃３及び下刃４が屋根下地20の端部から突出する余剰屋根材21Ａを所定幅分残した所定の切断位置に配設される。
【００２２】
また、この水平方向位置決めガイド部５を屋根下地20の側端面に当接させた状態で上側本体部１に設けられた鉛直方向位置決めガイド部６を屋根材21上に接地させると、この鉛直方向位置決めガイド部６が屋根下地20若しくはこの屋根下地20に端部に設けられた唐草22で支持されている部分に載置される。
【００２３】
この鉛直方向位置決めガイド部６が載置される屋根下地20若しくは唐草22で支持される屋根材21部分は、屋根下地20等に支持されることで上方から押圧力が加えられても下方に撓み変形しにくい部分となっているから、鉛直方向位置決めガイド部６をこの屋根下地20等で支持される屋根材21部分に押し当てることで鉛直方向（上下方向）の位置が位置決めされることになる。
【００２４】
したがって、切断作業時は、水平方向位置決めガイド部５を屋根下地20の側端面に当接させた（押し当てた）状態で且つ鉛直方向位置決めガイド部６をこの屋根下地20や唐草22で支持される屋根材21に押し当てるようにして移動させることで、水平方向及び鉛直方向の双方に対して位置決めされた状態で移動することとなり、余剰屋根材21Ａを撓み変形させることなくスムーズに且つ真っ直ぐに切断することができ、この余剰屋根材21Ａを所定幅分残してきれいに切断除去することができる。
【００２５】
このように、本発明は、水平方向位置決めガイド部５と鉛直方向位置決めガイド部６の水平方向及び鉛直方向の双方の位置決め機能を備え、これらにより、切断作業時に水平方向及び鉛直方向への位置ずれが防止されて、スムーズに且つ真っ直ぐに屋根材21（余剰屋根材21Ａ）を所定幅分残して簡易に且つきれいに切断することができる実用性に優れた画期的な屋根材切断装置となる。
【実施例】
【００２６】
本発明の具体的な実施例について図面に基づいて説明する。
【００２７】
本実施例は、野地板等の屋根下地20上に屋根材21を敷設する際にこの屋根下地20の端部からはみ出た余剰の屋根材21（余剰屋根材21Ａ）を切断する切断作業を要する場合、この余剰屋根材21Ａを所定幅分残してスムーズに且つ簡易に真っ直ぐに切断することができる屋根材切断装置に係るものである。
【００２８】
具体的には、本実施例は、切妻型の屋根に縦葺屋根材を敷設する際に妻側の端部に設けられたケラバ唐草22の庇状に突出する部分（ケラバ唐草突出部22Ｂ）に掴み込ませる所定幅の掴み込み片（掴み込み代23）を残して、このケラバ唐草突出部22Ｂの先端からはみ出た余剰屋根材21Ａを切断するのに好適な屋根材切断装置に構成されるものである。
【００２９】
より具体的には、本実施例は、上刃３を備え前記余剰屋根材21Ａを所定幅分（所定幅の掴み込み片分）残して切断除去する切断作業時に屋根下地20上に敷設された屋根材21の表面側に位置し前記屋根材21の表面に沿って移動する上側本体部１と、下刃４を備え前記上側本体部１の下方に位置するようにして連結され前記切断作業時に前記屋根材21の裏面側に位置し前記上側本体部１と共に移動する下側本体部２とを備え、この上側本体部１と下側本体部２との間に形成される屋根材挿入用隙間部９に挿入配設した屋根材21（余剰屋根材21Ａ）を、上側本体部１と下側本体部２に設けられた上下一対の切断刃でせん断するように構成されるものである。
【００３０】
以下、本実施例に係る構成各部について詳述する。
【００３１】
本実施例は、図１，２に示すように、上側本体部１と下側本体部２が切断対象の余剰屋根材21Ａを挿入配設し得る適宜な間隔（例えば１０ｍｍ前後）をおいて先端部側で連結され一体化されて本体部10が形成されている。
【００３２】
また、この本体部10の上側に位置する上側本体部１は、図１，２に示すように、長手方向略中央部に上刃３が設けられ、この上刃３を挟むようにして基端部側に切断作業時に作業者が把持するハンドル部11が設けられ、反対側の先端部側に補助ハンドル部12が設けられている。
【００３３】
具体的には、上刃３は、ローリングカッターが採用され、上側本体部１の切断作業時に屋根側に位置する面と反対側の面（上側本体部右側面）に設けられている。
【００３４】
また、ハンドル部11は、先端側に向かって上り傾斜状態に設けられていて、作業者が本体部10を下方に押し付けながら引き操作し易い状態に設けられている。
【００３５】
また、補助ハンドル部12は、図１に示すように、片手で握り掴み得るノブ状に形成され、上側本体部１の上面に上方に向けて突設されている。
【００３６】
即ち、本実施例は、切断作業時の本体部10を引き操作する際、一方の手でハンドル部11を把持し、もう一方の手でこの補助ハンドル部12を掴み、両手で力強く安定的に引き操作することができるように構成されている。
【００３７】
また、本実施例の上側本体部１は、切断作業時に本体部10の鉛直方向（上下方向）を位置決めする（上下動を防止する）ため、この本体部10を屋根下地20に敷設された屋根材21の表面に沿って移動させるための鉛直方向位置決めガイド部６が設けられている。
【００３８】
具体的には、本実施例の鉛直方向位置決めガイド部６は、水平軸により回転する水平ローラ６に構成され、上側本体部１の底面部の先端部側及び基端部側の二箇所に設けられている。
【００３９】
より具体的には、この鉛直方向位置決めガイド部６（水平ローラ６）は、切断作業時に後述する下側本体部２に設けられる水平方向位置決めガイド部５を屋根下地20の妻側端部に設けられたケラバ唐草22の鉛直面22Ａに当接させた状態にすると、図３に示すように、この鉛直方向位置決めガイド部５が当接するケラバ唐草22、具体的には、ケラバ唐草22の庇状に突出したケラバ唐草突出部22Ｂに指示されている屋根材21上に配設されるように構成されている。
【００４０】
即ち、このケラバ唐草突出部22Ｂに支持されている屋根材21部分は、ケラバ唐草突出部22Ｂに支持されることで上方から押圧力が加えられても下方に撓み変形しにくい部分となっており、本実施例は、この下方に撓み変形しにくい屋根材21部分に鉛直方向位置決めガイド部６（水平ローラ６）を押し当てることで（載置することで）、本体部10（上側本体部１）の鉛直方向（上下方向）の位置が位置決めされるように構成されている。
【００４１】
尚、本実施例においては、上述した水平ローラ６の設置位置及び設置数は適宜変更可能なものとする。また、水平ローラ６の材質は、屋根材21にキズ等を付けないよう合成樹脂（例えばシリコンゴムやウレタン等）が好ましい。
【００４２】
また、本体部10の下側に位置する下側本体部２は、長手方向略中央部に下刃４が設けられ、この下刃４を挟むようにして先端部側、基端部側に夫々、本体部10、具体的には、上側本体部１及び下側本体部２に設けられる上刃３及び下刃４の各切断刃を、余剰屋根材21Ａの所定の切断位置、具体的には、余剰屋根材21Ａのケラバ唐草突出部22Ｂ先端からこのケラバ唐草突出部22Ｂに掴み込み係止させる掴み込み代23分を残す位置に位置決めすると共に、本体部10（上刃３及び下刃４）を水平方向（左右方向）に位置ずれさせることなく真っ直ぐに移動させるための水平方向位置決めガイド部５が設けられている。
【００４３】
具体的には、下刃４は、上側本体部１に設けられた上刃３と同様、ローリングカッターが採用され、上側本体部１に設けられた上刃３のほぼ真下に位置するようにして、下側本体部２の切断作業時に屋根側に位置する面（下側本体部左側面）に設けられている。
【００４４】
より具体的には、下刃４は、上刃３に対して水平方向に位置ずれ状態に設けられ、この下刃４の上端部側が上刃３の下端部側と所定間隔をおいて対向するように（重複し合うように）設けられている。
【００４５】
また、各水平方向位置決めガイド部５は、下側本体部２の切断作業時に屋根側（ケラバ唐草22の鉛直面22Ａ側）となる側面（下側本体部左側面）に水平方向外方に向かって突設されると共に、その先端部と下刃４との離間距離（下刃４に対する突出量）が所定距離（例えばケラバ唐草突出部22Ｂの長さ＋掴み込み代23長さ）となるように構成されている。
【００４６】
具体的には、本実施例の水平方向位置決めガイド部５は、図３や図５に示すように、鉛直軸５Ｂより回転する鉛直ローラ５Ａが設けられていて、本実施例は、切断作業時にこの鉛直ローラ５Ａをケラバ唐草22の鉛直面22Ａに当接させこの鉛直ローラ５Ａにより鉛直面22Ａに沿って走行することで、余剰屋根材21Ａを所定幅の掴み込み代23分残して真っ直ぐに切断移動することができるように構成されている。
【００４７】
また、本実施例の水平方向位置決めガイド部５は、この鉛直ローラ５Ａの先端部と下刃４との離間距離、言い換えると、この鉛直ローラ５Ａの水平方向位置決めガイド部５からの突出量が調整可能に構成とされている。
【００４８】
即ち、本実施例は、ケラバ唐草突出部22Ｂの突出量に合わせて、この鉛直ローラ５Ａの突出量の調整することで余剰屋根材21Ａの残し部分となる掴み込み代23を適正な幅分残して切断することができるように構成されている。
【００４９】
具体的には、本実施例においては、径が異なる複数の鉛直ローラ５Ａを備え、ケラバ唐草突出部22Ｂの突出量に合わせて適宜な鉛直ローラ５Ａに付け替えることにより、鉛直ローラ５Ａの突出量を変えて、切断位置を適宜な切断位置に調整することができるように構成されている。
【００５０】
即ち、本実施例は、図４（ａ）に示すように、ケラバ唐草突出部22Ｂの突出量が小さいケラバ唐草22が取り付けられている場合は、径の小さい鉛直ローラ５Ａを取り付け、図４（ｂ）に示すように、ケラバ唐草突出部22Ｂの突出量が大きいケラバ唐草22が取り付けられている場合は、径の大きい鉛直ローラ５Ａを取り付けて、鉛直ローラ５Ａの水平方向位置決めガイド部５からの突出量を変え、この水平方向位置決めガイド部５（鉛直ローラ５Ａ）が当接するケラバ唐草22の鉛直面22Ａからの切断刃（上刃３及び下刃４）の位置を変えることで、この切断刃が所定幅の掴み込み代23を残す切断位置に配置されるように構成されている。
【００５１】
尚、鉛直ローラ５Ａの突出量変更、言い換えると、ケラバ唐草突出部22Ｂの突出量に対応して切断位置を調整する切断位置調整に関しては、上記のように鉛直ローラ５Ａのローラ径の変更の他、例えば、鉛直軸５Ｂの位置を変更可能に構成し、この鉛直軸５Ｂの位置を変更することで鉛直ローラ５Ａの突出量を変更するように構成しても良い。
【００５２】
また、本実施例の下側本体部２は、先端部側に切断した余剰屋根材21Ａが切断作業の邪魔にならずスムーズに切断することができるように、この切断した帯状の余剰屋根材21Ａを所定方向に誘導する切断部材誘導テーパー部13が設けられている。
【００５３】
具体的には、本実施例の切断部材誘導テーパー部13は、図１に示すように、先端部側に向かって反り上がる形状に形成され、図５に示すように、切断された余剰屋根材21Ａを上方側に誘導するように構成されている。
【００５４】
また、本実施例は、前述したように下刃４の上端部側が上刃３の下端部側と所定間隔をおいて対向するように（重複し合うように）設けられている構成とされているが、この上刃３と下刃４との隙間間隔を調整する刃間隙間調整機構を備えた構成とされている。
【００５５】
具体的には、本実施例の刃間隙間調整機構は、上側本体部１の上刃３の固定位置を調整し下刃４に対する隙間間隔を調整する構成とされている。
【００５６】
より具体的には、本実施例の刃間隙間調整機構は、図６に示すように、上刃３が設けられる上刃取付部に設けられた雌ネジ部７とこの雌ネジ部７に螺動自在に螺合された雄ネジ部材８とからなり、この雄ネジ部材８を雌ネジ部７に対して螺入操作して、この上刃取付部からの突出量、具体的には、上側本体部１の上刃３が取り付けられる側の側面（上刃取付面１Ａ）に対する突出量を調整することにより、上刃３の固定位置を調整変更して、下刃４に対する隙間間隔を調整するように構成されている。
【００５７】
即ち、本実施例は、図７（ａ）に示すように、この刃間隙間調整機構の雄ネジ部材８を螺入操作して雄ネジ部材８の上側本体部１の上刃取付面１Ａに対する突出量を大きくすると、上刃３と上刃取付面１Ａとの間にこの突出した雄ネジ部材８の先端部が介在し、この雄ネジ部材８の突出量分だけ下刃４側で固定されることになり、上刃３と下刃４との隙間間隔が小さくなり、また、逆に、図７（ｂ）に示すように雄ネジ部材８の突出量を小さくすることで、上刃３が上刃取付面１Ａ側で固定されることになり、上刃３と下刃４との隙間間隔が大きくなるように構成され、切断する屋根材21（余剰屋根材21Ａ）の厚さに合わせてこの上刃３と下刃４との隙間間隔を適正な隙間間隔に調整することができるように構成されている。
【００５８】
以上のように構成される本実施例の作用効果について以下に説明する。
【００５９】
本実施例を用いて余剰屋根材21Ａをケラバ唐草22のケラバ唐草突出部22Ｂに掴み込ませる所定幅の掴み込み代23分残して切断する場合、先ず、本体部10の基端部側に開口する屋根材挿入用隙間部９に余剰屋根材21Ａを屋根頂部側より挿入配設する。
【００６０】
そして、この屋根材挿入用隙間部９に余剰屋根材21Ａを挿入配設した状態のまま本体部10を屋根端部（妻側端部）に移動させて下側本体部２に設けられた水平方向位置決めガイド部５の鉛直ローラ５Ａをケラバ唐草22の鉛直面22Ａに当接させる。
【００６１】
この水平方向位置決めガイド部５の鉛直ローラ５Ａをケラバ唐草22の鉛直面22Ａに当接させることで、切断刃である上刃３及び下刃４が所定幅の掴み込み代23を残す余剰屋根材21Ａの所定の切断位置に配設される（位置決めされる）と共に、上側本体部１に設けられた鉛直方向位置決めガイド部６である水平ローラ６がケラバ唐草22のケラバ唐草突出部22Ｂで支持されている部分の屋根材21上に配設されるので、この鉛直ローラ５Ａをケラバ唐草22の鉛直面22Ａに当接させたままの状態で上側本体部１を屋根材21（余剰屋根材21Ａ）上に載置しこの上側本体部１に設けられた水平ローラ６を屋根材21に接地させる。
【００６２】
ここで、この水平ローラ６が接地される屋根材21は、下方（裏面）側でケラバ唐草突出部22Ｂに支持されているので、上方から荷重が加わっても撓み変形しにくくなっており、よって、このケラバ唐草突出部22Ｂで支持される屋根材21上に水平ローラ６を接地（上側本体部１を載置）することで、本体部10の切断作業時の鉛直方向（上下方向）の位置を位置決めすることができる。
【００６３】
このように、本実施例は、水平方向位置決めガイド部５の鉛直ローラ５Ａをケラバ唐草22の鉛直面22Ａに当接させた（押し当てた）状態で且つ鉛直方向位置決めガイド部６である水平ローラ６をケラバ唐草突出部22Ｂで支持される屋根材21に接地させることで、切断作業時の本体部10の水平方向の位置及び鉛直方向の位置の双方の位置を位置決めすることができ、この位置決め状態で本体部10を屋根の軒側に引き操作することで、余剰屋根材21Ａを撓み変形させることなく所定の切断位置に沿って本体部10を（上刃３及び下刃４を）スムーズに且つ真っ直ぐに移動させることができ、この余剰屋根材21Ａを所定幅の掴み込み代23分残してきれいに切断することができる。
【００６４】
また、本実施例は、径が異なる複数の鉛直ローラ５Ａを備え、この鉛直ローラ５Ａの付け替えにより唐草22の鉛直面22Ａに対する切断刃（上刃３及び下刃４）の位置を変更（調整）することができるので、突出量が異なる様々なケラバ唐草突出部22Ｂに対して常に適正幅の掴み込み代23分を残して余剰屋根材21Ａを切断することができる。
【００６５】
また、本実施例は、上刃３と下刃４との隙間間隔を調整する刃間隙間調整機構を備えているので、切断する余剰屋根材21Ａの板厚に応じてこの上刃３と下刃４との隙間間隔を適正な間隔に調整して、余剰屋根材21Ａをきれいに且つスムーズに切断することができ、しかも、その調整は雄ネジ部材８を螺入操作しこの雄ネジ部材８の上刃取付面１Ａに対する突出量を調整するだけの極めて簡易な操作で調整することができるので、誰もが容易に調整することができる。
【００６６】
尚、本発明は、本実施例に限られるものではなく、各構成要件の具体的構成は適宜設計し得るものである。
【符号の説明】
【００６７】
１  上側本体部
２  下側本体部
３  上刃
４  下刃
５  水平方向位置決めガイド部
５Ａ  鉛直ローラ
５Ｂ  鉛直軸
６  鉛直方向位置決めガイド部，水平ローラ
７  雌ネジ部
８  雄ネジ部材
20  屋根下地
21  屋根材
21Ａ  余剰屋根材
22  唐草
22Ａ  鉛直面
【図１】
2020082230.tif 000003
【図２】
2020082230.tif 000004
【図３】
2020082230.tif 000005
【図４】
2020082230.tif 000006
【図５】
2020082230.tif 000007
【図６】
2020082230.tif 000008
【図７】
2020082230.tif 000009